(57)【要約】【課題】  カバーを上下方向から装着可能でかつその長手方向への移動を規制して、カバーの拭き掃除等を容易に行い得たり、カバーをガタ付き等がなく安定した状態でバックガードの前面に装着し得る厨房用バックガードのカバー取付構造を提供する。【解決手段】  厨房用カウンターの後端部に立設されるバックガードの前面に、カバーが該バックガードを覆う状態で装着される厨房用バックガードのカバー取付構造であって、カバーは、カバー本体の上下幅方向の所定高さ位置の裏面に後方に向けてリブが延設されると共に、該リブの長手方向の所定位置に係止溝が設けられ、該係止溝がバックガードの前面に設けた係止突起に上下方向から着脱される。前記リブは、カバー本体の裏面に略水平方向に延設された水平部と、この水平部の後端部に上下方向に設けられた一対の垂直部等を有する。【選択図】  図５
2007089851.tif 000002
【特許請求の範囲】
【請求項１】
厨房用カウンターの後端部に立設されるバックガードの前面に、カバーが該バックガードを覆う状態で装着される厨房用バックガードのカバー取付構造であって、
前記カバーは、カバー本体の上下幅方向の所定高さ位置の裏面に後方に向けてリブが延設されると共に、該リブに設けた該係止手段が前記バックガードの前面に設けた係止手段に上下方向から着脱されることを特徴とする厨房用バックガードのカバー取付構造。
【請求項２】
前記リブは、カバー本体の裏面に略水平方向に延設された水平部と、該水平部の後端部に上下方向に設けられた垂直部とを有し、該垂直部の長手方向の両端部に前記係止手段が設けられていることを特徴とする請求項１に記載の厨房用バックガードのカバー取付構造。
【請求項３】
前記垂直部は、前記水平部の後端上下に設けられた一対の垂直部を有し、下方に向けて設けられた垂直部の長手方向の両端部に前記係止手段が設けられると共に、上方に向けて設けられた垂直部がバックガードの前面に当接し得る如く形成されていることを特徴とする請求項２に記載の厨房用バックガードのカバー取付構造。
【請求項４】
前記カバーは、その上下端部がバックガード側に向けてリブ状に折り曲げ形成されると共に、その後端部の断面形状が曲面で形成されていることを特徴とする請求項１ないし３のいずれかに記載の厨房用バックガードのカバー取付構造。
【請求項５】
前記バックガードの係止手段は、バックガードの前面にねじ込まれるネジ部と該ネジ部より径大な頭部を有するネジであることを特徴とする請求項１ないし４のいずれかに記載の厨房用バックガードのカバー取付構造。
【発明の詳細な説明】
【技術分野】
【０００１】
本発明は、システムキッチン等のカウンターの後端部に立設されるバックガードに、カバーを取り付けるための厨房用バックガードのカバー取付構造に関する。
【背景技術】
【０００２】
従来、この種のカバー取付構造としては、例えば特許文献１に開示されている。このカバー取付構造は、カウンターの後端部に立設されるバックガードとその後方の壁面との隙間に一対の支持具を所定間隔を有して挿着し、この支持具に前方上方に突出する状態で係止受け部を設け、この係止受け部に、その上方からカバーの上部後側に設けた断面コ字状の係止部を上下方向に装着可能に係止させるようにしたものである。
【特許文献１】特開平１０−２９５４６３号公報
【発明の開示】
【発明が解決しようとする課題】
【０００３】
しかしながら、このようなカバー取付構造においては、カバーの断面コ字状の係止部が、一対の支持具の上方に立設された板状の係止受け部に単に上方から係止されることにより、バックガードの前面に装着されているのみであるため、汚れたカバーの前面を装着状態のまま拭き掃除する際に、カバーがその長手方向にスライド移動して係止部が一方の係止受け部から外れてしまいカバーの清掃が面倒であると共に、カバーの上下端部にガタ付き等が発生し易くなって、カバーをバックガードの前面に安定した状態で装着することが難しい。また、カバー上部の係止部が支持具の係止受け部に挟着される構造を採用したとしても、この挟着部分でカバーと支持具が単に所定圧で挟持されているのみであるため、カバーの長手方向への移動を確実に規制することは困難である。
【０００４】
本発明は、このような事情に鑑みてなされたもので、その目的は、カバーを上下方向から装着可能でかつその長手方向への移動を規制して、カバーの拭き掃除等を容易に行い得る厨房用バックガードのカバー取付構造を提供することにある。また、他の目的は、前記目的に加え、カバーをガタ付き等がなく安定した状態でバックガードの前面に装着し得る厨房用バックガードのカバー取付構造を提供することにある。
【課題を解決するための手段】
【０００５】
かかる目的を達成すべく、本発明のうち請求項１に記載の発明は、厨房用カウンターの後端部に立設されるバックガードの前面に、カバーが該バックガードを覆う状態で装着される厨房用バックガードのカバー取付構造であって、前記カバーは、カバー本体の上下幅方向の所定高さ位置の裏面に後方に向けてリブが延設されると共に、該リブに設けた係止手段がバックガードの前面に設けた係止手段に上下方向から着脱されることを特徴とする。
【０００６】
そして、前記リブは、請求項２に記載の発明のように、カバー本体の裏面に略水平方向に延設された水平部と、該水平部の後端部に上下方向に設けられた垂直部とを有し、該垂直部の長手方向の両端部に前記係止手段が設けられていることが好ましい。また、前記垂直部は、請求項３に記載の発明のように、前記水平部の後端上下に設けられた一対の垂直部を有し、下方に向けて設けられた垂直部の長手方向の両端部に前記係止手段が設けられると共に、上方に向けて設けられた垂直部がバックガードの前面に当接し得る如く形成されていることが好ましい。
【０００７】
さらに、前記カバーは、請求項４に記載の発明のように、その上下端部がバックガード側に向けてリブ状に折り曲げ形成されると共に、その後端部の断面形状が曲面で形成されていることが好ましい。また、前記バックガードの係止手段は、請求項５に記載の発明のように、バックガードの前面にねじ込まれるネジ部と該ネジ部より径大な頭部を有するネジであることが好ましい。
【発明の効果】
【０００８】
本発明のうち請求項１に記載の発明によれば、カバー本体の上下幅方向の所定高さ位置の裏面にリブが延設されると共に、このリブに例えば溝状の係止手段が設けられて、この係止手段がバックガードの前面に設けた突起状の係止手段に上下方向から着脱されるため、両係止手段の係止によりカバーを上下方向から装着してその長手方向への移動を規制でき、カバーを取り外した状態で水洗いしたり装着したままの状態で拭き掃除することができて、カバーの清掃を容易に行うことができる。
【０００９】
また、請求項２に記載の発明によれば、請求項１に記載の発明の効果に加え、リブが水平部と垂直部とを有し、垂直部の長手方向の両端部に係止手段が設けられているため、リブによりカバー自体の剛性を高めることができて、カバーをバックガードの前面に確実に装着することができる。
【００１０】
また、請求項３に記載の発明によれば、請求項２に記載の発明の効果に加え、リブが水平部と上下一対の垂直部とを有し、下方の垂直部の長手方向の両端部に係止手段が設けられると共に、上方の垂直部がバックガードの前面に当接し得る如く形成されているため、上方の垂直部のバックガードへの当接により、カバーをガタ付きや異音発生のない安定した状態でバックガードの前面に装着することができる。
【００１１】
さらに、請求項４に記載の発明によれば、請求項１ないし３に記載の発明の効果に加え、カバーの上下端部がバックガード側に向けてリブ状に折り曲げ形成されると共に、その後端部の断面形状が曲面で形成されているため、リブ状の折り曲げ部でカバー自体の剛性を一層高めることができると共に、断面曲面の後端部によりカウンター上面等への傷付きを防止することができる。
【００１２】
また、請求項５に記載の発明によれば、請求項１ないし４に記載の発明の効果に加え、バックガードの係止手段が、バックガードの前面にねじ込まれるネジ部と径大な頭部を有するネジで構成されるため、係止手段の構成を簡略化できると共に、係止手段のバックガードへの取付自体を簡単に行うことができる。
【発明を実施するための最良の形態】
【００１３】
以下、本発明の実施の形態を図面に基づいて詳細に説明する。
図１〜図６は、本発明に係わる取付構造をシステムキッチンに適用した場合の一実施形態を示し、図１がキッチン全体の斜視図、図２がカバー取付部分の拡大斜視図、図３及び図４がカバーの正面図及び平面図、図５がカバー取付部の縦断面図、図６がカバーの変形例を示す縦断面図である。
【００１４】
図１に示すように、システムキッチン１は、長手方向の左右の側板２ａと、図示しない底板や背面板、前板等により上面開口部と前面開口部を有する如く枠組み構成されたベースキャビネット２を有している。そして、このベースキャビネット２の前面開口部には、扉３が開閉可能に設けられると共に引き出し４が引き出し可能に設けられ、また、ベースキャビネット２の上面開口部には、カウンター５が配置されている。
【００１５】
このカウンター５は、例えば人工大理石によって形成され、長手方向の一端側の平面部にはシンク６が配置されると共に、長手方向の他端側の平面部に設けた開口部分には、コンロ台７（加熱機器）が設置されている。また、カウンター５は、その後端部に上方に所定高さ突出したバックガード８が一体形成されており、このバックガード８のコンロ台７の後方位置には、カバー９が装着されている。
【００１６】
このカバー９は、図２〜図４に示すように、全体形状が長尺状に形成され、コンロ台７の左右長さと略同一長さで上下幅がバックガード８の高さ寸法より若干長く形成されたカバー本体９ａと、このカバー本体９ａの上部と下部に後方側に向けて延設された上リブ９ｂ及び下リブ９ｃと、カバー本体９ａの高さ方向の略中間位置でその裏面に後方側に向けて延設された中間リブ９ｄ等を有している。そして、これらの各リブ９ｂ〜９ｄは、例えばアルミニウムの押し出し成形等により、カバー本体９ａの裏面側にその長手方向の全域に亘って一体形成されている。
【００１７】
前記中間リブ９ｄは、後方側に向けて略水平状態で延設された水平部１０と、この水平部１０の後端部で上方に向けて設けられた上部垂直部１１と、水平部１０の後端部で下方に向けて設けられた下部垂直部１２を有して、断面略Ｅ字形状に形成されている。この時、下部垂直部１２は、カバー本体９ａの裏面側に向けて窪んだ凹溝部１２ａを有し、その長手方向の両端部には、下方に向けて開口すると共にその開口端部がテーパ状に形成されたカバー側の係止手段としての一対の係止溝１２ｂ（図３参照）が形成されている。また、前記上部垂直部１１は、後述する如くカバー９がバックガード８の前面に装着された際に、その裏面が該バックガード８の前面８ａに当接するようになっている。
【００１８】
なお、前記上リブ９ｂは、カバー本体９ａの上部が断面アールを有して後方側に折り曲げ形成されると共に、その後端部には下方側に向けて断面円弧形状（曲面）の凸条１３が一体形成されている。また、下リブ９ｃは、カバー本体９ａの下部が断面アームを有して後方側に折り曲げ形成されると共に、その後端部には上方側に向けて断面円弧形状（曲面）の凸条１４が一体形成されている。この時、下リブ９ｃの長さは、上リブ９ｂに対して短く設定されて、カウンター５の後端アール部５ａの形状に対応できるように設定されている。
【００１９】
このように構成されたカバー９は、図５に示すようにして、バックガード８の前面８ａに装着される。すなわち、バックガード８の前面８ａでカバー９の一対の係止溝１２ｂの間隔に対応する位置に一対のネジ孔１５を穿設し、このネジ孔１５に、ネジ部１６ａとこのネジ部１６ａより径大な円盤状の頭部１６ｂを有するネジ１６をワッシャー１７を介してねじ込む。この時、ネジ１６は、ネジ部１６ａの頭部１６ｂ側に非ネジ部１６ｃが設けられており、この非ネジ部１６ｂの寸法分、頭部１６ｂがバックガード８の前面８ａから隙間１８を有して浮いた状態となるように設定されている。また、前記隙間１８の寸法は、カバー９の前記下部垂直部１２の凹溝部１２ａの深さ寸法と略同一になるように設定されている。
【００２０】
そして、このネジ１６のバックガード８の前面８ａへの取付状態において、カバー９の係止溝１２ｂをネジ１６の非ネジ部１６ｃに上方から挿入して係止させる。この時、係止溝１２ｂの開口側がテーパ状に形成されていることから、カバー９の係止溝１２ｂがネジ１６に上方からスムーズに挿入されて係止される。これにより、カバー９がバックガード８の前面８ａに装着され、この装着状態において、上下方向の係止溝１２ｂにネジ１６が係止されて、カバー９の長手方向への移動が規制されると共に、カバー９の上リブ９ｂがカウンター５のバックガード８の上面８ｂより上方に位置し、かつカバー９の下リブ９ｃがカウンター５の後端アール部５ａ上に略接触し、バックガード８を前方から見た場合にその前面８ａがカバー９で覆われた状態となっている。
【００２１】
そして、このようにしてバックガード８の前面８ａに装着されたカバー９は、コンロ台７の使用時における熱のバックガード８への伝達等を抑制して、バックガード８やその後方の壁面１９（図２参照）を保護することができる。また、カバー９の装着状態において、中間リブ９ｄの下部垂直部１２の係止溝１２ｂがネジ１６に係止されてバックガード８の前面８ａにワッシャー１７を介して当接すると共に、上部垂直部１１がバックガード８の前面８ａに当接した状態となっていることから、カバー９を図５の矢印イ方向に押した場合でも、カバー９のガタ付きが最小限に抑えられると共に、コンロ台７やカウンター５の振動等によってカバー９が共振して異音を発生すること等も防止される。
【００２２】
また、コンロ台７上から飛散した調理物や汁等がカバー９に付着して汚れた場合は、カバー９を取り外して水洗いするか、あるいはバックガード８に装着したままの状態で清掃することができる。この時、取り外して水洗いする場合は、バックガード８に装着状態のカバー９を、例えばカバー９の両端部や上部リブ９ｂ等を手で持って、図５の矢印ロの如く上方に引っ張ることにより、係止溝１２ｂがネジ１６から外れてバックガード８から取り外すことができ、この取り外したカバー９が例えばシンク６内で水洗いされる。
【００２３】
一方、カバー９を装着したままで清掃する場合は、雑巾等でカバー９の前面や上リブ９ｂの表面を長手方向に拭き掃除することにより行うことができ、この時、係止溝１２ｂとネジ１６の係止によりカバー９の長手方向への移動が規制されていることから、雑巾等で長手方向に拭いてもカバー９が移動することがなく、カバー９をバックガード８に装着状態のまま良好に清掃することができる。
【００２４】
このように、上記実施形態のバックガード８のカバー９にあっては、カバー本体９ａの上下幅方向の所定高さ位置の裏面に中間リブ９ｄが延設されると共に、この中間リブ９ｄの長手方向の所定位置に一対の係止溝１２ｂが設けられ、この各係止溝１２ｂがバックガード８の前面８ａに設けた一対のネジ１６に上下方向から着脱されて装着されるため、ネジ１６と係止溝１２ｂによりカバー９を上下方向から装着することができる。その結果、カバー９を上方に持ち上げてバックガート８の前面８ａから取り外すことで水洗い等が可能になると共に、装着時のカバー９の長手方向への移動が規制されていることから、装着状態のままでのカバー９の拭き掃除等を簡単に行うことができ、カバー９を常に清潔に維持することが可能となる。
【００２５】
また、カバー９に一体形成される中間リブ９ｄが水平部１０と上下一対の垂直部１１、１２を有し、下部垂直部１２の長手方向の両端部に係止溝１２ｂが設けられると共に、上部垂直部１１がバックガード８の前面８ａに当接し得る如く形成されているため、中間リブ９ｄによりカバー９自体の剛性を高めることができて、カバー９の確実な装着状態を得ることができると共に、上部垂直部１１等のバックガード８の前面８ａへの当接により、カバー９をガタ付きや異音発生のない安定した状態でバックガード８の前面８ａに装着することができる。さらに、カバー９の上下幅をバックガード８の高さ寸法より大きく設定して、バックガード８の上面８ｂ側も前方から覆うことができるため、バックガード８の前面８ａは勿論のこと、その上面８ｂや壁面１９等を確実に保護することができる。
【００２６】
さらに、カバー９の上下端部に、バックガード８側に向けて折り曲げ形成された上リブ９ｂや下リブ９ｃが一体形成されると共に、上下リブ９ｂ、９ｃの後端部に断面円弧形状の凸条１３、１４が一体形成されているため、上下リブ９ｂ、９ｃでカバー９を断面略Ｅ字形状にしてその剛性を一層高めることができると共に、断面円弧形状の凸条１３、１４によりカウンター５上面やバックガード８への傷付き等を防止することができる。また、バックガード８側の係止手段が、バックガード８の前面８ａにねじ込まれるネジ部１６ａと径大な頭部１６ｂ等を有するネジ１６で構成されるため、係止手段の構成を簡略化して安価に形成できると共に、バックガード８に設けたネジ孔１５にネジ１６をねじ込むことで取り付けできて、係止手段のバックガード８への取付作業自体を簡単に行うことができる。
【００２７】
なお、上記実施形態においては、上リブ９ｂの高さをバックガード８の上面８ｂより所定寸法高くして、カバー９によりバックガード８の上面８ｂ部分も前方から覆うように形成したが、本発明はこの構成に限定されず、例えば、図６に示すように、上リブ９ｂの高さをバックガード８の高さと略同一に設定すると共に、上リブ９ｂの後端部をバックガード８の上面８ｂ前端に当接させて略面一状態にしたり、あるいは、図６の二点鎖線で示すように、上リブ９ｂを後方側に長く延ばしてバックガード８の上面８ａを完全に覆う形状とすることもできる。
【００２８】
また、上記実施形態における下リブ９ｃの形状も、図示した例に限定されず、カウンター５の後端アール部５ａの形状等に応じて所定の形状を採用することができる。さらに、上記実施形態においては、係止溝１２ｂを上下方向の溝として、カバー９を上下方向に着脱可能に構成したが、例えば係止溝１２ｂを鈎状に形成し、上下方向と僅かな左右方向への移動で係止させる構造を採用し、装着時のカバー９の上下方向の移動を抑えて装着状態を一層安定化させることもできる。さらに、上記実施形態における、カバー９の中間リブ９ｄの形状や位置、上部垂直部１１の長さ（高さ）、係止溝１２ｂの位置や数、カウンター５自体の形状、システムキッチン１全体の構成、係止手段としてのネジ１６の構成等も一例であって、例えば係止手段として専用の係止部材を使用する等、本発明に係わる各発明の要旨を逸脱しない範囲において適宜に変更することができる。
【産業上の利用可能性】
【００２９】
本発明は、一般家庭のシステムキッチン等の厨房カウンターのバックガードへの利用に限らず、レストランやホテル等の各種厨房カウンターのバックガードにも利用できる。
【図面の簡単な説明】
【００３０】
【図１】本発明に係わる取付構造を適用したシステムキッチンの一実施形態を示す斜視図
【図２】同そのカバー取付部分の拡大斜視図
【図３】同カバーの正面図
【図４】同カバーの平面図
【図５】同カバー取付部分の縦断面図
【図６】同カバーの変形例を示す図５と同様の縦断面図
【符号の説明】
【００３１】
１・・・システムキッチン、２・・・キャビネット、３・・・扉、４・・・引き出し、５・・・カウンター、５ａ・・・後端アール部、６・・・シンク、７・・・コンロ台、８・・・バックガード、８ａ・・・前面、８ｂ・・・上面、９・・・カバー、９ａ・・・カバー本体、９ｂ・・・上リブ、９ｃ・・・下リブ、９ｄ・・・中間リブ、１０・・・水平部、１１・・・上部垂直部、１２・・・下部垂直部、１２ａ・・・凹溝部、１２ｂ・・・係止溝、１３、１４・・・凸条、１５・・・ネジ孔、１６・・・ネジ、１６ａ・・・ネジ部、１６ｂ・・・頭部、１６ｃ・・・非ネジ部、１８・・・隙間、１９・・・壁面。
【図１】
2007089851.tif 000003
【図２】
2007089851.tif 000004
【図３】
2007089851.tif 000005
【図４】
2007089851.tif 000006
【図５】
2007089851.tif 000007
【図６】
2007089851.tif 000008